(57)【要約】【課題】  患者の体内に挿入される医療用のカテーテルの外径を大きくすることなく、観察しながら確実、且つ、容易に患者の体内の目的位置までカテーテルの挿入を行えるカテーテル用内視鏡を提供すること。【解決手段】  本発明は、先端部分に観察手段と照明手段を備え、上記先端部分をカテーテル４の内周部に着脱自在に固定する固定手段１０と、を具備することを特徴とするカテーテル用内視鏡２。【選択図】  図２
2008183234.tif 000002
【特許請求の範囲】
【請求項１】
先端部分に観察手段と照明手段を備え、
上記先端部分をカテーテルの内周部に着脱自在に固定する固定手段と、
を具備することを特徴とするカテーテル用内視鏡。
【請求項２】
上記固定手段は、上記先端部分の外周に設けられ、上記カテーテルの内周部を圧接する弾性部材から形成されていることを特徴とする請求項１に記載のカテーテル用内視鏡。
【請求項３】
上記固定手段は、上記先端部分の外周に設けられ、膨張することで、上記カテーテルの内周部を圧接するバルーンであることを特徴とする請求項１に記載のカテーテル用内視鏡装置。
【請求項４】
上記固定手段は、上記先端部分の外周に設けられ、上記カテーテルの内周部に貼着する粘着部材であることを特徴とする請求項１に記載のカテーテル用内視鏡。
【請求項５】
前記照明手段は、上記先端部分に設けられた蓄光体であることを特徴とする請求項１から請求項４の何れか１項に記載のカテーテル用内視鏡。
【発明の詳細な説明】
【技術分野】
【０００１】
体腔内へ挿入されるカテーテルの挿入時に使用されるカテーテル用内視鏡に関する。
【背景技術】
【０００２】
周知の如く、体腔内などに細長なチューブ状のカテーテルを挿入する処置技術がある。その一例として、例えば、気管支肺胞内の液体成分を回収して診断する方法に気管支肺胞洗滌診断（Ｂｒｏｎｃｈｏａｌｖｅｏｌａｒ  Ｌａｖａｇｅ：ＢＡＬ）に用いられる内視鏡用カテーテル、或いは血管内に薬剤を注入するため薬剤配分ＰＴＣ血管内カテーテルである。
【０００３】
このような医療行為に用いられる従来のカテーテルには、例えば、特許文献１に記載の内視鏡用バルーンカテーテル、及び特許文献２に記載の薬剤配分ＰＴＣ血管内カテーテルが開示されている。
【特許文献１】特開２００６−３３４１４９号公報
【特許文献２】特表平９−５００３１２号公報
【発明の開示】
【発明が解決しようとする課題】
【０００４】
しかしながら、特許文献１、及び２に記載の従来の医療用のカテーテルには、観察機能がなく、医師の技術に裏付けされた勘を頼りに患者の体腔内に挿入されていた。
【０００５】
そのため、充分に経験の豊富な熟練医師であっても、カテーテルを被検体の体内の目的位置まで、確実に挿入することが困難であり、予期せぬ体内の異常を挿入過程で確認することができないという問題がある。
【０００６】
このような問題を解消するため、医師は、体腔などの目的位置まで確実にカテーテルを挿入するため、内視鏡を先に体腔などへ挿入して、この内視鏡に備えられている鉗子チャンネルを利用してカテーテルを挿入するという手技が一般に行われる。しかし、従来のカテーテルは、通常、非常に細い外径であるのに対して、内視鏡がかなり太い外径になってしまうため、内視鏡の挿入時に、どうしても、被検者へ負担を与えてしまうという問題も生じる。
【０００７】
そこで、本発明は、上述の問題に鑑みて成されたものであり、その目的とするところは患者の体内に挿入される医療用のカテーテルの外径を大きくすることなく、観察しながら確実、且つ、容易に患者の体内の目的位置までカテーテルの挿入を行えるカテーテル用内視鏡を提供することを目的とする。
【課題を解決するための手段】
【０００８】
本発明は、先端部分に観察手段と照明手段を備え、上記先端部分をカテーテルの内周部に着脱自在に固定する固定手段と、を具備することを特徴とするカテーテル用内視鏡。
【発明の効果】
【０００９】
本発明によれば、患者の体内に挿入される医療用のカテーテルの外径を大きくすることなく、観察しながら確実、且つ、容易に患者の体内の目的位置までカテーテルの挿入を行えるカテーテル用内視鏡を実現できる。
【発明を実施するための最良の形態】
【００１０】
以下、図面を参照して本発明の実施の形態を説明する。尚、以下に示す実施の形態においてを例に挙げて説明する。
【００１１】
（第１の実施の形態）
本発明の第１の実施の形態に係る、カテーテル用内視鏡について説明する。尚、図１〜図４は第１の実施の形態に係り、図１は医療用のカテーテル、及びカテーテル用内視鏡の全体構成図、図２はカテーテル用内視鏡の先端部分の内部構成を示す断面図、図３は医療用のカテーテルにカテーテル用内視鏡が挿入された状態の先端から見た正面図、図４は図３の状態におけるカテーテル用内視鏡の先端部分と医療用のカテーテルの断面図である。
【００１２】
図１に示すように、本実施の形態の内視鏡装置１００は、カテーテル用内視鏡（以下、単に内視鏡と略記する）１と、この内視鏡１が接続されるプロセッサ２と、このプロセッサ２に接続されるモニタ８と、によって主に構成されている。尚、内視鏡１は、プロセッサ２の前面に配設されたコネクタ部５を介して、電気的にプロセッサ２と着脱自在に接続されている。
【００１３】
また、内視鏡１は、一般に使用される樹脂製の医療用のカテーテル４に挿通自在に、可撓性を備えた細長な形状をしている。
【００１４】
プロセッサ２は、内視鏡１に内蔵されている、観察手段を構成するＣＣＤ、或いはＣＭＯＳなどの後述する撮像チップ２１（図２参照）を駆動し、この撮像チップ２１で得られた画像信号を処理し、モニタ８に出画させる回路を有する他、内視鏡１に備えられた照明手段へ光を供給する光源装置、内視鏡１に備えられた後述の固定手段であるバルーン１０（図２参照）への送気を行う送気ポンプ等を有している。
【００１５】
以上に説明した本実施の形態の内視鏡装置１００は、予め医療用のカテーテル４内に内視鏡１を挿通固定し、観察できる状態で被検者の体内にカテーテルを挿入できるようにするものである。
【００１６】
次に、内視鏡１の主に先端内部の詳細構成について図２を用いて説明する。  
図２に示すように、内視鏡１は、先端部分に膨張収縮自在な弾性材から形成されたバルーン１０と、このバルーン１０から基端方向に延設され、可撓性を備えたチューブ状の挿入部１７と、を有し、これらによって細長に外径形成されている。
【００１７】
内視鏡１の先端部分は、樹脂製の先端固定部材１５と、樹脂製円筒状の先端固定筒１６と、による硬質な部分が構成されている。この先端固定部材１５は、内視鏡１の先端面を構成し、基端外周部分が先端固定筒１６と嵌着されている。
【００１８】
先端固定部材１５内には、先端側から順に、対物レンズである第１のレンズ１１、第２のレンズ１８、レンズ枠１９、対物レンズである第３のレンズ２０、及び撮像チップ２１の受光面を覆うカバーガラス２２の夫々が所定の位置で接着剤によって固定されている。尚、レンズ１８の入射面側には、明るさ絞りが蒸着されている。また、第３のレンズ２０は、カバーガラス２２の表面に芯出し接着されている。
【００１９】
レンズ枠１９は、レンズ２０と第２のレンズ１８のレンズ間隔を一定に保つ間隔環である。また、撮像チップ２１は、超小型のもので外径がφ１ｍｍ以下のものが望ましい。カバーガラス２２は、先端固定部材１５の後端面より後方に配置されている。
【００２０】
撮像チップ２１の受光面側に設けられた端子部には、突起電極（バンフ）を介してＴＡＢテープ２３が半田などにより接続されている。この接続部は、封止樹脂２５で覆われている。
【００２１】
ＴＡＢテープ２３には、電子部品２４が実装されている。このＴＡＢテープ２３における、電子部品２４が実装されていない後方側の部分は、前方へ折り返されて信号ケーブル２６のケーブル線２６ａが半田２６ｂにより接続されている。この信号ケーブル２６は、挿入部１７内を挿通して、内視鏡１の基端まで延設されており、コネクタ部５（図１参照）を介してプロセッサ２と電気的に接続される。
【００２２】
先端固定部材１５には、後端面から側面にかけてＬ字状に形成された送気孔１５ａが設けられている。この送気孔１５ａの後端側には、樹脂製の送気チューブ１４が取り付けられている。送気チューブ１４は、気体が送気される送気路１３を有している。この送気チューブ１４も、内視鏡１の基端まで延設されており、コネクタ部５（図１参照）を介してプロセッサ２と連通される。
【００２３】
先端固定筒１６の側面には、送気孔１５ａの位置に合わせた送気口１６ａが設けられている。この送気孔１５ａと、送気口１６ａとが合わせられて、上述したように、先端固定部材１５の後方外周と先端固定筒１６とが嵌合固定される。
【００２４】
先端固定部材１５に先端固定筒１６を嵌合させる際に、本実施の形態においては、先端部の強度、耐湿性などが強化されるように、先端固定筒１６内周、及び先端固定部材１５の後端の撮像チップ２１、ＴＡＢテープ２３、信号ケーブル２６、及び送気チューブ１４の先端側外周が全て覆われるように接着剤２７を塗布注入し、硬化させて固定している。
【００２５】
先端固定筒１６の外周後端部には、挿入部１７を形成する樹脂チューブが固定されている。バルーン１０は、前端部が先端固定部材１５の外周先端部分と、後端部が挿入部１７に面位置を合わせて、先端固定筒１６の外周部の後方部分に固着されている。
【００２６】
先端固定部材１５の先端面には、図３に示すように、照明レンズ１２が設けられ、後端側から照明レンズ１２に突き当たるように、図示しないライトガイドバンドルが固定されている。尚、ライトガイドバンドル（不図示）は、内視鏡１の基端まで延設されており、コネクタ部５を介して、プロセッサ２から照明光が導光される。
【００２７】
以上のように構成された、本実施の形態の内視鏡１は、図３、及び図４に示すように、カテーテル４に内視鏡１が挿入される。このとき、カテーテル４と内視鏡１の先端面が揃えられた状態で、プロセッサ２に内蔵された送気ポンプから送気チューブ１４の送気路１３に気体、例えば、エアー（二酸化炭素ガスでも良い）が送気される。
【００２８】
すると、この送気路１３内に送り込まれた気体は、送気孔１５ａを介して送気口１６ａからバルーン１０内へと送気される。したがって、バルーン１０が内視鏡１の外周方向へ膨張する。
【００２９】
これにより、バルーン１０内の空気圧によって、内視鏡１の先端部分は、バルーン１０の表面がカテーテル４の内周面に圧接し、カテーテル４内で固定される。そのため、この状態で術者は、カテーテル４を被検者の体内に挿入すれば、内視鏡１による観察画像をモニタ８により観察しながらカテーテル４を目的位置まで挿入していくことが可能となる。
【００３０】
そして、術者は、被検者の体内における目的部位にカテーテル４の先端部が到達したことをモニタ８によって確認したならば、プロセッサ２の送気ポンプを停止、或いは吸気を行うことによって、バルーン１０内の気体を抜く。すると、バルーン１０は、収縮し、カテーテル４への内視鏡１の先端部分の固定が解除される。その後、術者は、内視鏡１のみカテーテル４から抜去すれば、カテーテル４の本来の機能を果たすことができる。
【００３１】
以上に説明したように、本実施の形態のカテーテル用内視鏡装置１００は、カテーテル４を被検者の体内へ観察しながら挿入することができるため、確実に、且つ容易に目的位置までカテーテル４の先端部分を挿入することができる。また、カテーテル４の挿入過程を観察しながら行えるため、体内の異常部位を早急に判断できる。
【００３２】
さらに、特別なカテーテルを必要とせず、従来から用いられているカテーテル４に内視鏡１を挿入できる構成であるため、カテーテル４の外径を太らせることがないので、汎用性が高く経済的であると共に、挿入時における患者へ負担を軽減することができる。
【００３３】
また、本実施の形態のカテーテル用内視鏡装置１００の内視鏡１をＥＲＣＰ（Ｅｎｄｏｓｃｏｐｉｃ  Ｒｅｔｒｏｇｒａｄｅ  Ｃｈｏｌａｎｇｉｏ−ｐａｎｃｒｅａｔｏｇｒａｐｈｙ：内視鏡的逆行性胆道膵管造影検査）用のカテーテルに用いれば、膵胆管内の観察をした後に造影ができるので、新たな診断の可能性が広がる。
【００３４】
（第２の実施の形態）
次に、第２の実施の形態に係る、カテーテル用内視鏡について説明する。尚、図５〜図９は、本発明の第２の実施の形態に係り、図５はカテーテル用内視鏡の先端部分の断面図、図６は図５のＶＩ−ＶＩ線に沿ったカテーテル用内視鏡の先端部分の断面図、図７は医療用のカテーテルにカテーテル用内視鏡が挿入固定された状態の先端から見た正面図、図８はカテーテル用内視鏡の先端部分と医療用のカテーテルの断面図、図９は変形例を示すカテーテル用内視鏡の先端部分と医療用のカテーテルの断面図である。
【００３５】
以下の説明において、上述した第１の実施の形態のカテーテル用内視鏡装置１００と同一の構成について同じ符号を用い、それら構成の詳細な説明を省略する。また、本実施の形態では、図５、及び図６に示すようにカテーテル用内視鏡（以下、内視鏡と略記する）３０とカテーテル４への固定手段を、加熱すると収縮するワイヤ輪状の形状記憶合金３５としている。この形状記憶合金３５に電流が通電すると、形状記憶合金３５は、発熱して、所定の温度に達すると収縮する構成である。
【００３６】
図５、及び図６に示すように、本実施の形態の内視鏡３０は、樹脂製の先端固定部材３２内に、信号ケーブル３６が基端方向に延設された撮像ユニット３１と、図示しない照明手段と、が内蔵されている。先端固定部材３２の外周部後端部に、第１の実施の形態と同様に、樹脂製の先端固定筒３３が嵌合固定されている。
【００３７】
この先端固定筒３３の外周後端部には、信号ケーブル３６と共に、気密封止のため熱収縮チューブ３４が配設されている。また、先端固定筒３３は、その外周中途部に内部へ向かった形状記憶合金３５の両端部を固定するための取り付け孔が２箇設けられている。これら取り付け孔に形状記憶合金３５の両端部が先端固定筒３３の外周部側から内側に向けて差し込まれ、内部側で接着材によって固定されている。
【００３８】
形状記憶合金３５の両端部には、２本の形状記憶合金用電源ケーブル３７の素線３７ａが半田などの接続部３４ｂにより電気的に接続されている。この形状記憶合金用電源ケーブル３７は、信号ケーブル３６に沿わせて後方へ引き出される。
【００３９】
尚、照明手段にＬＥＤを用いた場合、内視鏡３０から引き出されるのは照明用電源ケーブル、信号ケーブル３６、及び形状記憶合金用電源ケーブル３７のみとなるので、熱収縮チューブ３４内において、これらケーブルが分離するような１本のケーブルを用いてもよい。つまり、熱収縮チューブ３４より後方では、信号ケーブル３６、形状記憶合金用電源ケーブル３７、及び照明用電源ケーブルが１本にまとめられた複合ケーブル一本としてもよい。
【００４０】
以上のように構成された、本実施の形態の内視鏡３０は、形状記憶合金３５に電力をプロセッサ２から形状記憶合金用電源ケーブル３７を介して通電すると、形状記憶合金３５が収縮する（図６の破線）。
【００４１】
この状態で、術者は、カテーテル４に内視鏡３０を挿入し、カテーテル４と内視鏡３０の先端が揃ったところで形状記憶合金３５への給電をオフにする。すると、形状記憶合金３５の外径が大きくなり（図６の実線）、図７に示すように、内視鏡３０の先端部分がカテーテル４の先端内周部に固定される。つまり、形状記憶合金３５は、カテーテル４の内周面と圧接する。
【００４２】
このままの状態で、術者は、カテーテル４を被検者に挿入すれば、第１の実施の形態と同様に、内視鏡３０により観察しながらカテーテル４を挿入していくことが可能となる。そして、術者は、被検者の体内の目的部位にカテーテル４の先端部が到達したなら、再び形状記憶合金３５に通電すれば、内視鏡３０と、カテーテル４との固定を解除することができる。そして、術者は、内視鏡３０のみをカテーテル４から抜去することができる。
【００４３】
尚、内視鏡３０は、外径を大きくしない範囲でアングル機構を挿入部内に備えた構成としても良い。これにより、術者は、アングル機構を操作して、挿入方向を湾曲可変できるため、カテーテル４の挿入性も一段と向上する。
【００４４】
また、カテーテル用内視鏡装置１００は、プロセッサ２とモニタ８、及び電源ユニットを一体的に内蔵するアングル操作のための操作部を有することで、よりコンパクトなシステムとすることが可能になり、搬用性にも優れたものとすることができる。
【００４５】
以上のように説明した、本実施の形態のカテーテル用内視鏡装置１００においても、第１の実施の形態と同じ効果を奏することができる。
【００４６】
尚、図９に示すように、形状記憶合金３５を内視鏡３０の先端外周部に複数回らせん状に巻きつけ、その外側にバルーン１０を被せた構成としても良い。この構成では、第１の実施の形態でのバルーン１０を気体の送気により膨張させたのに対して、本変形例では上述したように形状記憶合金３５に電流を流さない状態でバルーン１０を膨張させた状態を実現し、カテーテル４への装着時に形状記憶合金３５を加熱しバルーン１０を収縮させる構成とすることができる。
【００４７】
（第３の実施の形態）
次に、第３の実施の形態に係る、カテーテル用内視鏡について説明する。尚、図１０〜図１６は、本発明の第３の実施の形態に係り、図１０はカテーテル用内視鏡の先端部分の断面図、図１１は医療用のカテーテルにカテーテル用内視鏡が挿入された状態の先端から見た正面図、図１２は図１１の状態におけるカテーテル用内視鏡の先端部分と医療用のカテーテルの断面図、図１３は第１の変形例を示すカテーテル用内視鏡の先端から見た正面図、図１４は図１３のＸＩＶ−ＸＩＶ線に沿ったカテーテル用内視鏡の先端部分の断面図、図１５は第２の変形例を示す医療用のカテーテルにカテーテル用内視鏡が挿入された状態の医療用のカテーテルの断面図である。
【００４８】
以下の説明において、上述した第１、及び第２の実施の形態のカテーテル用内視鏡装置１００と同一の構成について同じ符号を用い、それら構成の詳細な説明を省略する。また、本実施の形態では、図１０〜図１２に示すようにカテーテル用内視鏡（以下、内視鏡と略記する）４０とカテーテル４への固定手段を内視鏡４０の先端部分の外周部に配設される粘着部４６とした構成である。
【００４９】
図１０に示すように、本実施の形態の内視鏡４０は、先端固定部材４２と先端固定筒４５によって、先端部分の外形が形成されている。また、先端固定部材４２は、金属製の対物レンズ枠４１等から構成される撮像ユニットを固定している。
【００５０】
撮像ユニットは、上述した複数のレンズ群などを保持する対物レンズ枠４１、及び信号ケーブル２６の先端部分を一体的に被覆し、第１の接着剤４４が充填された熱収縮チューブ４３によって構成されている。この撮像ユニットと、信号ケーブル２６の先端部分は、先端固定部材４２と先端固定筒４５が覆うように固定されている。先端固定筒４５の内部は、第２の接着剤４８が充填されている。また、先端固定筒４５の後端部と信号ケーブル２６は、熱収縮チューブ４７で固定されている。この先端固定筒４５の外周面には、固定手段である粘着剤などが塗布された粘着部４６が設けられている。
【００５１】
尚、本実施の形態の内視鏡４０は、先端固定部材４２が蓄光体で形成されている。この蓄光体とは光を蓄えて暗い所でそれを放出することによって発光するような材料で、先端固定部材４２の主材料である樹脂に混ぜ込まれている。尚、必要に応じて４５に蓄光体を混ぜ込んでも構わない。そのため、本実施の形態では、先端固定部材４２が照明手段を構成している。
【００５２】
以上のように構成された、本実施の形態の内視鏡４０は、上述の各実施の形態と同様に、図１１、及び図１２に示すように、その先端面がカテーテル４の先端面とが合わされて配置される。このとき、先端固定筒４５の粘着部４６がカテーテル４の内周面に貼着することで、内視鏡４０がカテーテル４に固定される。そして、内視鏡４０の固定をカテーテル４から解除する場合は、内視鏡４０をやや強めに引くことによって粘着部４６はカテーテル４の内周面から剥がれ、内視鏡４０のみ抜去することができる。
【００５３】
また、粘着部４６は、カテーテル４に対して内視鏡４０を先端側に押し込む方向に対しては粘着力が強く、逆に引き込む方向に対して粘着力が弱いという特性を有する構成とした方が良い。尚、内視鏡４０単体では、粘着部４６の表面に図示しないカバーが取り付けられており、カテーテル４に取り付ける時に、このカバーを剥がしてカテーテル４の内周面に固定するものである。
【００５４】
本実施の形態の内視鏡４０をカテーテル４に取り付ける前に、内視鏡４０の先端部分の先端固定部材４２が十分に室内照明にさらされていれば、カテーテル４を被検者へ挿入する時間程度なら問題なく照明をすることができる。さらに、狭い管腔が対象であるならば尚更、蓄光体の発光により、充分な照明光を得ることができる。
【００５５】
以上説明したように、本実施の形態の内視鏡４０では、上述の各実施の形態の効果に加え、カテーテル４の固定を粘着剤である粘着部４６のような簡単な構成とすることができる。また、照明手段が内視鏡４０のメカ枠である先端固定部材４２と共有できるので、先端分が細径化でき、挿入部も信号ケーブル以外不要なので細径化できる。その結果、内視鏡４０は、部材数が少なく構造自体も単純なものとできるため、製造コストが低く抑えられ、さらにディスポ化にも対応できる。
【００５６】
尚、図１３、及び図１４に示すように、内視鏡４０は、金属製の先端固定部材５０に、照明用の蓄光体５２と照明レンズ１２を設けても良い。このような構成とすれば、蓄光体５２に蓄えられた光は、照明レンズ１２を通して配光のよい照明とすることができる。また、この先端固定部材５０は、対物レンズ群を保持するレンズ枠を兼ねている。
【００５７】
また、照明レンズ１２自体を蓄光体で形成しても構わない。撮像チップ２１が第１のレンズ１１に対して大きくなるような場合には、このような構成とすれば、先端スペースの有効利用ができる。
【００５８】
さらに、本実施の形態のカテーテル用内視鏡を図１５に示すような、カプセル型内視鏡５３とし、その外周部に略筒状のゴムなどの弾性部材から形成された固定手段である固定部材５４を装着しても良い。尚、このカプセル型内視鏡５３は、観察手段と照明手段と通信手段、及び、電源ユニットを含み、照明手段は蓄光体でも構わない。
【００５９】
固定部材５４は、その内周部によりカプセル型内視鏡５３の外周部を圧接して装着される。この固定部材５４は、内周部の両端がやや窄まり、カプセル型内視鏡５３をしっかりホールドして脱落を防止している。固定部材５４の外周部は、中央付近を肉厚にし、その外径をカテーテル４の内径よりも大きく設定されている。
【００６０】
術者は、カテーテル４を被検者の体内に挿入する前に、カテーテル４の先端開口部から固定部材５４が装着されたカプセル型内視鏡５３をカテーテル４の内部へ挿入する。このとき、固定部材５４の弾力により、カプセル型内視鏡５３がカテーテル４の先端内周部に固定される。
【００６１】
また、カテーテル４による治療の際には、カテーテル４の手元側から吸引をかけるか、或いは固定部材５４、或いはカプセル型内視鏡５３の後端部にカテーテル４よりも長いひも５３ａを設けて、吸引しなくても、ひも５３ａを引っ張ることによって固定部材５４と共にカプセル型内視鏡５３を回収することが可能である。
【００６２】
このような構成とすることで、カテーテル４とカプセル型内視鏡５３は、観察可能なカテーテル内視鏡として使用することもできる。また、カプセル型内視鏡５３は、安価であるので、ディスポ化にも対応可能となる。さらに、このような構成により、被検者への使用前のセッティング、及び使用後の回収が容易となる。
【００６３】
以上の各実施の形態に記載した発明は、夫々の実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得るものである。
【００６４】
例えば、各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得るものである。
【００６５】
尚、以上に説明した本発明は、以下の付記に記載する特徴を有している。
【００６６】
（付記項１）
先端部に観察手段と照明手段を備え、先端外周部をカテーテルの先端内周部に着脱自在に固定することを特徴とするカテーテル用内視鏡。
【００６７】
（付記項２）
前記内視鏡先端外周部に弾性部材を備え、前記カテーテルの先端内周部に着脱自在に固定することを特徴とする付記項１に記載のカテーテル用内視鏡装置。
【００６８】
（付記項３）
前記内視鏡先端外周部にバルーンを備え、前記カテーテルの先端内周部に着脱自在に固定することを特徴とする付記項１に記載のカテーテル用内視鏡装置。
【００６９】
（付記項４）
前記内視鏡先端外周部に粘着部材を備え、前記カテーテルの先端内周部に着脱自在に固定することを特徴とする付記項１に記載のカテーテル用内視鏡。
【００７０】
（付記項５）
観察手段と照明手段と観察画像通信手段と電源手段を備え、外周部をカテーテルの先端内周部に着脱自在に固定することを特徴とするカテーテル用内視鏡。
【００７１】
（付記項６）
前記内視鏡外周部に弾性部材を備え、前記カテーテルの先端内周部に着脱自在に固定することを特徴とする付記項５に記載のカテーテル用内視鏡。
【００７２】
（付記項７）
前記照明手段が蓄光体であることを特徴とする付記項１〜６記載のカテーテル用内視鏡。
【図面の簡単な説明】
【００７３】
【図１】第１の実施の形態に係る、医療用のカテーテル、及びカテーテル用内視鏡の全体構成図。
【図２】同、カテーテル用内視鏡の先端部分の内部構成を示す断面図。
【図３】同、医療用のカテーテルにカテーテル用内視鏡が挿入された状態の先端から見た正面図。
【図４】同、図３の状態におけるカテーテル用内視鏡の先端部分と医療用のカテーテルの断面図。
【図５】第２の実施の形態に係る、カテーテル用内視鏡の先端部分の断面図。
【図６】同、図５のＶＩ−ＶＩ線に沿ったカテーテル用内視鏡の先端部分の断面図。
【図７】同、医療用のカテーテルにカテーテル用内視鏡が挿入固定された状態の先端から見た正面図。
【図８】同、カテーテル用内視鏡の先端部分と医療用のカテーテルの断面図。
【図９】同、変形例を示すカテーテル用内視鏡の先端部分と医療用のカテーテルの断面図。
【図１０】第３の実施の形態に係る、カテーテル用内視鏡の先端部分の断面図。
【図１１】同、医療用のカテーテルにカテーテル用内視鏡が挿入された状態の先端から見た正面図。
【図１２】同、図１１の状態におけるカテーテル用内視鏡の先端部分と医療用のカテーテルの断面図。
【図１３】同、第１の変形例を示すカテーテル用内視鏡の先端から見た正面図。
【図１４】同、図１３のＸＩＶ−ＸＩＶ線に沿ったカテーテル用内視鏡の先端部分の断面図。
【図１５】同、第２の変形例を示す医療用のカテーテルにカテーテル用内視鏡が挿入された状態の医療用のカテーテルの断面図。
【符号の説明】
【００７４】
１・・・カテーテル用内視鏡
２・・・プロセッサ
４・・・カテーテル
８・・・モニタ
１０・・・バルーン
１２・・・照明レンズ
１５・・・先端固定部材
１６・・・先端固定筒
２１・・・撮像チップ
１００・・・カテーテル用内視鏡装置
【図１】
2008183234.tif 000003
【図２】
2008183234.tif 000004
【図３】
2008183234.tif 000005
【図４】
2008183234.tif 000006
【図５】
2008183234.tif 000007
【図６】
2008183234.tif 000008
【図７】
2008183234.tif 000009
【図８】
2008183234.tif 000010
【図９】
2008183234.tif 000011
【図１０】
2008183234.tif 000012
【図１１】
2008183234.tif 000013
【図１２】
2008183234.tif 000014
【図１３】
2008183234.tif 000015
【図１４】
2008183234.tif 000016
【図１５】
2008183234.tif 000017